(57)【要約】【課題】排水ポンプが取付けられる被取付体へのモータの振動の伝搬を抑制して、動作時の静粛性を図ることができる排水ポンプの取付構造を提供する。【解決手段】排水ポンプの取付構造は、排水ポンプ１と、この排水ポンプ１を空気調和機６０の天井板６１に取付ける取付部材７０とを備えており、排水ポンプ１を天井板６１の下側に配置する。排水ポンプ１は、回転羽根３０と、この回転羽根３０を収容するハウジング１０と、このハウジング１０の上部に取付けられたカバー２０と、このカバー２０に収容され、回転羽根３０を回転させるモータ４０と、を有している。そして、排水ポンプ１は、取付部材７０によって、カバー２０が天井板６１と間隔Ｄを空けて該天井板６１に取付けられる。【選択図】図３
2019157697.tif 000002
【特許請求の範囲】
【請求項１】
排水ポンプと、該排水ポンプを被取付体に取付ける少なくとも１つの取付手段とを備え、該排水ポンプを前記被取付体の下側に配置する排水ポンプの取付構造であって、
前記排水ポンプは、回転羽根と、該回転羽根を収容するハウジングと、該ハウジングの上部に取付けられたカバーと、該カバーに収容され、前記回転羽根を回転させるモータと、を有し、
前記排水ポンプは、前記取付手段によって、前記カバーが前記被取付体と間隔を空けて該被取付体に取付けられることを特徴とする排水ポンプの取付構造。
【請求項２】
前記排水ポンプは、前記取付手段によって、前記被取付体に垂下されるように取付けられることを特徴とする請求項１に記載の排水ポンプの取付構造。
【請求項３】
前記排水ポンプは、前記取付手段によって、前記被取付体に自重により垂下されるように取付けられることを特徴とする請求項２に記載の排水ポンプの取付構造。
【請求項４】
前記取付手段は、前記カバーと別体であり、
前記排水ポンプは、前記取付手段の一方の端部が前記被取付体に係止されかつ他方の端部が前記カバーに係止されることにより、該被取付体に取付けられることを特徴とする請求項１〜請求項３のいずれか一項に記載の排水ポンプの取付構造。
【請求項５】
前記取付手段の前記一方の端部は、前記被取付体に設けられた貫通孔に挿通されるとともに、該貫通孔の縁部に引っ掛かることを特徴とする請求項４に記載の排水ポンプの取付構造。
【請求項６】
前記取付手段の前記一方の端部は、外側に膨らむ幅広部を有し、
前記被取付体の貫通孔は、前記取付手段の前記一方の端部が挿通可能な形状を有する挿通部と、前記挿通部に連なり前記幅広部の幅より小さい幅を有するスリット部と、を有していることを特徴とする請求項５に記載の排水ポンプの取付構造。
【請求項７】
前記取付手段の前記一方の端部は、外側に膨らむ幅広部を有するとともに、複数の弾性片を構成するようにスリットが形成され、
前記複数の弾性片は、前記一方の端部の中心側に弾性変形された状態で前記被取付体の貫通孔に挿入されることを特徴とする請求項５に記載の排水ポンプの取付構造。
【請求項８】
前記取付手段の前記他方の端部は、前記カバーに設けられた貫通孔に挿通されるとともに、該貫通孔の縁部に引っ掛かることを特徴とする請求項４〜請求項７のいずれか一項に記載の排水ポンプの取付構造。
【請求項９】
前記取付手段の前記他方の端部は、外側に膨らむ幅広部を有するとともに、複数の弾性片を構成するようにスリットが形成され、
前記複数の弾性片は、前記他方の端部の中心側に弾性変形された状態で前記カバーの貫通孔に挿入されることを特徴とする請求項８に記載の排水ポンプの取付構造。
【請求項１０】
前記取付手段は、前記カバーと一体に設けられ、
前記排水ポンプは、前記取付手段の端部が前記被取付体に係止されることにより、該被取付体に取付けられることを特徴とする請求項１〜請求項３のいずれか一項に記載の排水ポンプの取付構造。
【請求項１１】
前記取付手段の端部は、前記被取付体に設けられた貫通孔に挿通されるとともに、該貫通孔の縁部に引っ掛かることを特徴とする請求項１０に記載の排水ポンプの取付構造。
【請求項１２】
前記取付手段の端部は、外側に膨らむ幅広部を有し、
前記被取付体の貫通孔は、前記取付手段の端部が挿通可能な形状を有する挿通部と、前記挿通部に連なり前記幅広部の幅より小さい幅を有するスリット部と、を有していることを特徴とする請求項１１に記載の排水ポンプの取付構造。
【請求項１３】
前記取付手段の端部は、外側に膨らむ幅広部を有するとともに、複数の弾性片を構成するようにスリットが形成され、
前記複数の弾性片は、前記端部の中心側に弾性変形された状態で前記被取付体の貫通孔に挿入されることを特徴とする請求項１１に記載の排水ポンプの取付構造。
【請求項１４】
前記取付手段は、前記被取付体および前記カバーの少なくとも一方より曲げ弾性率が小さいことを特徴とする請求項１〜請求項１３のいずれか一項に記載の排水ポンプの取付構造。
【発明の詳細な説明】
【技術分野】
【０００１】
本発明は、回転羽根により水を吸込口から吸い込み、吐出口から排出する排水ポンプの取付構造に関する。特に動作時の静粛性を図るのに好適な排水ポンプの取付構造に関する。
【背景技術】
【０００２】
室内の天井に設置する空気調和機は、室内熱交換器の表面で凝縮したドレン水を受け入れるドレンパンと、ドレンパン内のドレン水を排出する排水ポンプ（ドレンポンプ）と、を有している。
【０００３】
図７に、特許文献１に記載されている従来の排水ポンプの一例を示す。図７（ａ）〜（ｃ）は、順に従来の排水ポンプの平面図、正面図および底面図である。従来の排水ポンプ８００は、回転羽根８３０を収容するポンプハウジング８１０を有している。ポンプハウジング８１０の上部には下カバー８４０が取付けられる。下カバー８４０の上部にはモータ８８０が設けられ、モータ８８０は上カバー８５０により覆われる。上カバー８５０の上部には被取付体としての空気調和機９００に取付けられる取付部８５２が設けられている。
【先行技術文献】
【特許文献】
【０００４】
【特許文献１】特開２０１４−１０７８９３号公報
【発明の概要】
【発明が解決しようとする課題】
【０００５】
従来の排水ポンプ８００は、空気調和機９００に取付けられる際、脱落を防止するため、取付部８５２が空気調和機９００に密着した状態でネジなどの固定部材８９０により固定される。そのため、モータ８８０の回転に伴う振動が取付部８５２から空気調和機９００に伝搬して騒音が生じてしまうおそれがあった。
【０００６】
本発明は上記問題点に鑑みてなされたものであって、その目的は、排水ポンプが取付けられる被取付体へのモータの振動の伝搬を抑制して、動作時の静粛性を図ることができる排水ポンプの取付構造を提供することにある。
【課題を解決するための手段】
【０００７】
上記の課題を解決するため、本発明の排水ポンプの取付構造は、排水ポンプと、該排水ポンプを被取付体に取付ける少なくとも１つの取付手段とを備え、該排水ポンプを前記被取付体の下側に配置する排水ポンプの取付構造であって、前記排水ポンプは、回転羽根と、該回転羽根を収容するハウジングと、該ハウジングの上部に取付けられたカバーと、該カバーに収容され、前記回転羽根を回転させるモータと、を有し、前記排水ポンプは、前記取付手段によって、前記カバーが前記被取付体と間隔を空けて該被取付体に取付けられることを特徴とする。
【０００８】
本発明において、前記排水ポンプは、前記取付手段によって、前記被取付体に垂下されるように取付けられることが好ましい。
【０００９】
本発明において、前記排水ポンプは、前記取付手段によって、前記被取付体に自重により垂下されるように取付けられることが好ましい。
【００１０】
本発明において、前記取付手段は、前記カバーと別体であり、前記排水ポンプは、前記取付手段の一方の端部が前記被取付体に係止されかつ他方の端部が前記カバーに係止されることにより、該被取付体に取付けられることが好ましい。
【００１１】
本発明において、前記取付手段の前記一方の端部は、前記被取付体に設けられた貫通孔に挿通されるとともに、該貫通孔の縁部に引っ掛かることが好ましい。
【００１２】
本発明において、前記取付手段の前記一方の端部は、外側に膨らむ幅広部を有し、前記被取付体の貫通孔は、前記取付手段の前記一方の端部が挿通可能な形状を有する挿通部と、前記挿通部に連なり前記幅広部の幅より小さい幅を有するスリット部と、を有していることが好ましい。
【００１３】
本発明において、前記取付手段の前記一方の端部は、外側に膨らむ幅広部を有するとともに、複数の弾性片を構成するようにスリットが形成され、前記複数の弾性片は、前記一方の端部の中心側に弾性変形された状態で前記被取付体の貫通孔に挿入されることが好ましい。
【００１４】
本発明において、前記取付手段の前記他方の端部は、前記カバーに設けられた貫通孔に挿通されるとともに、該貫通孔の縁部に引っ掛かることが好ましい。
【００１５】
本発明において、前記取付手段の前記他方の端部は、外側に膨らむ幅広部を有するとともに、複数の弾性片を構成するようにスリットが形成され、前記複数の弾性片は、前記他方の端部の中心側に弾性変形された状態で前記カバーの貫通孔に挿入されることが好ましい。
【００１６】
本発明において、前記取付手段は、前記カバーと一体に設けられ、前記排水ポンプは、前記取付手段の端部が前記被取付体に係止されることにより、該被取付体に取付けられることが好ましい。
【００１７】
本発明において、前記取付手段の端部は、前記被取付体に設けられた貫通孔に挿通されるとともに、該貫通孔の縁部に引っ掛かることが好ましい。
【００１８】
本発明において、前記取付手段の端部は、外側に膨らむ幅広部を有し、前記被取付体の貫通孔は、前記取付手段の端部が挿通可能な形状を有する挿通部と、前記挿通部に連なり前記幅広部の幅より小さい幅を有するスリット部と、を有していることが好ましい。
【００１９】
本発明において、前記取付手段の端部は、外側に膨らむ幅広部を有するとともに、複数の弾性片を構成するようにスリットが形成され、前記複数の弾性片は、前記端部の中心側に弾性変形された状態で前記被取付体の貫通孔に挿入されることが好ましい。
【００２０】
本発明において、前記取付手段は、前記被取付体および前記カバーの少なくとも一方より曲げ弾性率が小さいことが好ましい。
【発明の効果】
【００２１】
本発明によれば、排水ポンプは、取付手段によって、カバーが被取付体と間隔を空けて該被取付体に取付けられる。このようにしたことから、排水ポンプのカバーが被取付体と接触しないので、カバーから被取付体に直接的に振動が伝搬することを回避できる。そのため、排水ポンプが取付けられる被取付体へのモータの振動の伝搬を抑制することができ、動作時の静粛性を図ることができる。
【図面の簡単な説明】
【００２２】
【図１】本発明の第１実施例に係る排水ポンプの取付構造を示す図である。
【図２】図１の排水ポンプの一部断面を含む正面図である。
【図３】図１の排水ポンプの取付構造を説明する図である。
【図４】本発明の第２実施例に係る排水ポンプの取付構造を示す図である。
【図５】図４の排水ポンプの取付構造を説明する図である。
【図６】本発明の第３実施例に係る排水ポンプの取付構造を説明する図である。
【図７】従来の排水ポンプの取付構造を示す図である。
【発明を実施するための形態】
【００２３】
以下に説明する本発明に係る排水ポンプの取付構造は、排水ポンプと、この排水ポンプを被取付体に取付ける少なくとも１つの取付手段とを備えており、排水ポンプを被取付体の下側に配置する。排水ポンプは、回転羽根と、この回転羽根を収容するハウジングと、このハウジングの上部に取付けられたカバーと、このカバーに収容され、回転羽根を回転させるモータと、を有している。そして、排水ポンプは、取付手段によって、カバーが被取付体と間隔を空けて該被取付体に取付けられることを特徴としている。
【００２４】
（第１実施例）
以下、本発明の第１実施例に係る排水ポンプの取付構造について、図１〜図３を参照して説明する。第１実施例に係る排水ポンプは、一例として、空気調和機の室内ユニットのドレンパン内に溜まったドレン水を外部に排出するためのものである。もちろん、この排水ポンプの用途は、ドレン水の排出に限られず、各種液体の排出や汲み上げなどに用いることができる。後述する第２実施例および第３実施例についても同様である。
【００２５】
図１は、本発明の第１実施例に係る排水ポンプの取付構造を示す図である。図１（ａ）〜（ｃ）は、順に、被取付体を透過して表した平面図、正面図および底面図である。図２は、図１の排水ポンプの一部断面を含む正面図であり、詳細には、排水ポンプの下部について吐出管の軸線を通る面で切断した部分断面図を含む正面図である。図３は、図１の排水ポンプの取付構造を説明する図である。図３（ａ）は、被取付体の上方から見た平面図であり、排水ポンプを破線で示している。図３（ｂ）は、被取付体の貫通孔近傍（図３（ａ）の一点鎖線の楕円部）を拡大した図である。図３（ｃ）は、図３（ｂ）のＡ−Ａ線に沿う拡大断面図である。第１実施例の説明において、「上下」は、図１（ａ）および図２の上下方向に一致する。
【００２６】
第１実施例は、排水ポンプ１を、取付手段としての取付部材７０によって、被取付体としての空気調和機６０の天井板６１に取付ける構造である。
【００２７】
図１および図２に示すように、排水ポンプ１は、ハウジング１０と、カバー２０と、回転羽根３０と、モータ４０と、を有している。本実施例において、ハウジング１０、カバー２０および回転羽根３０は、合成樹脂製である。
【００２８】
ハウジング１０は、本体部１１と、吸込管１６と、吐出管１８とを一体に有している。本体部１１は、逆円錐台形状を有する底壁部１２と、底壁部１２の外周縁に連接された周壁部１３と、を有している。吸込管１６は、底壁部１２の中心から下方に延びており、下方に向く吸込口１７を有している。吐出管１８は、周壁部１３から側方（図１（ｂ）の右方向）に延び、側方を向く吐出口１９を有している。本実施例において、吐出管１８は、側方に直線状に延びているが、これに限定されるものではない。例えば、吐出口が上方を向く略Ｌ字状や円弧状に形成されていてもよく、本体部１１の側部に設けられていればよい。本体部１１の周壁部１３の内周面１４には、吐出管１８への入口となる吐出管入口１５が設けられている。
【００２９】
ハウジング１０は、その内側に回転羽根３０が配置される空間を有しており、当該空間をカバー２０とともに囲むことでポンプ室５を形成（画定）している。
【００３０】
カバー２０は、略円筒形状の下カバー２１と、下カバー２１の上端を塞ぐ蓋状の上カバー２２とを有している。下カバー２１は、その下端部がハウジング１０の本体部１１の上部開口と嵌合されて、スナップフィット機構２３によりハウジング１０に取付けられる。上カバー２２は、下カバー２１の上端部に係止部２４を介して取付けられている。
【００３１】
上カバー２２の上面２２ａには、排水ポンプ１を空気調和機６０に取付けるための複数の取付部２５が一体に設けられている。取付部２５は、斜め上方に延びる支柱部２６と、支柱部２６の先端から水平方向に延びる平板部２７と、を有している。排水ポンプ１は、上下方向から見たとき、平板部２７が下カバー２１および上カバー２２の投影形状から外側にはみ出しており、その最外端が直径Ｌ１の仮想円Ｐ１に内接している。平板部２７の外側端部には、切り欠き２８が設けられている。
【００３２】
切り欠き２８は、上下方向から見たとき、入口から奥に入った部分の幅が、入口の幅より広い形状を有している。本実施例において、切り欠き２８の入口の幅は、後述する取付部材７０の柱部７１の径より小さい。また、切り欠き２８の入口から奥に入った部分の幅は、取付部材７０の柱部７１の径より大きくかつ基端部７３の径より小さい。切り欠き２８は、取付部２５の平板部２７を上下方向に貫通しており、カバー２０に設けられた貫通孔に相当する。
【００３３】
回転羽根３０は、ポンプ室５内に回転可能に収容されている。回転羽根３０は、軸部３１と、大径羽根３３と、小径羽根３４と、補助羽根３５と、環状部材３６と、を有している。回転羽根３０は、略平板状に形成された大径羽根３３、小径羽根３４および補助羽根３５を複数枚有しており、本実施例においてはそれぞれ４枚ずつ有している。なお、補助羽根３５を省略した構成を採用してもよい。
【００３４】
軸部３１は、円柱状に形成され、モータ４０の駆動軸４１が嵌合される取付穴３２が上端部に設けられている。複数の大径羽根３３は、軸部３１の外周面から放射方向に延びている。複数の小径羽根３４は、各大径羽根３３の下端における放射方向内側部分に連結されている。補助羽根３５は、周方向に隣り合う大径羽根３３の間に配置され、放射方向に延びている。環状部材３６は、逆円錐台形状を有し、中央に開口３７が設けられている。環状部材３６は、各大径羽根３３および各補助羽根３５の下端におけるテーパ状部分を互いに連結している。大径羽根３３および補助羽根３５は、それぞれの放射方向外側端部がハウジング１０の周壁部１３の内周面１４と対向するようにポンプ室５内に配置されている。小径羽根３４は、環状部材３６の開口３７を通り、吸込管１６に挿入されている。
【００３５】
モータ４０は、カバー２０内に収容されている。カバー２０には、その中央に設けられた貫通孔２９に回転羽根３０の軸部３１が挿通されており、モータ４０の駆動軸４１が軸部３１の取付穴３２に嵌合されている。
【００３６】
空気調和機６０は、室内熱交換器の表面で凝縮したドレン水を受け入れる図示しないドレンパンを有しており、ドレンパンの上方に間隔を空けて設けられた天井板６１に排水ポンプ１が取付けられる。図３（ａ）に示すように、天井板６１には、複数の貫通孔６２が設けられている。本実施例では、貫通孔６２は３つ設けられている。
【００３７】
貫通孔６２は、円形の挿通部６３と、挿通部６３に連なるスリット部６４と、を有している。挿通部６３は、取付部材７０の先端部７２の径より大きい径を有している。挿通部６３は、取付部材７０の先端部７２が挿通可能な形状であればよい。スリット部６４は、先端部７２の径（すなわち先端部７２の幅）より小さくかつ柱部７１の径より大きい幅を有している。本実施例において、各貫通孔６２の挿通部６３の中心は仮想円Ｑ１上に配置されている。また、各貫通孔６２のスリット部６４の中心線も仮想円Ｑ１上に配置されている。
【００３８】
取付部材７０は、柱状に形成されており、円柱状の柱部７１と、柱部７１の上端（一方の端部）に設けられた円形のフランジ形状の先端部７２と、柱部７１の下端（他方の端部）に設けられた円形のフランジ形状の基端部７３と、を有している。柱部７１の径は、切り欠き２８の入口から奥に入った部分の幅および天井板６１の貫通孔６２のスリット部６４の幅より小さい。先端部７２の径は、スリット部６４の幅より大きい。基端部７３の径は、切り欠き２８の入口から奥に入った部分の幅より大きい。先端部７２および基端部７３は、柱部７１から径方向外側に膨らんだ幅広部であればよい。本実施例では、取付部材７０を３つ有している。
【００３９】
本実施例において、排水ポンプ１は、取付部材７０によって天井板６１に自重により垂下される（ぶら下がる）ように取付けられている。ここで、「自重により垂下される」とは、他の力を受けることなく自らの重さのみで垂れ下がることを言う。そのため、例えば、過剰な振れを規制するように、排水ポンプ１がワイヤーでドレンパンなどと接続された状態で垂下されている構成などは、ワイヤーにより排水ポンプ１が引っ張る力を受けているため「自重により垂下される」に含まれない。もちろん、このような、ワイヤーなどによって排水ポンプ1の振れなどを規制する構成を採用してもよい。
【００４０】
取付部材７０は、天井板６１およびカバー２０と別体である。排水ポンプ１は、取付部材７０の上端が天井板６１に係止されかつ下端がカバー２０に係止されることにより、天井板６１に垂下されるように取付けられる。
【００４１】
具体的には、取付部材７０の先端部７２は、天井板６１に設けられた貫通孔６２に挿通されるとともに、垂下状態となるよう貫通孔６２の縁部６２ａに引っ掛かる円環状の下向き面７２ａを有している。取付部材７０の基端部７３は、カバー２０の取付部２５の平板部２７に設けられた切り欠き２８に挿通されるとともに、平板部２７が垂下状態となるよう切り欠き２８の縁部２８ａに引っ掛かる円環状の上向き面７３ａを有している。なお、先端部７２は円形以外のフランジ形状であってもよく、下向き面７２ａは円環状以外の環状であってもよい。基端部７３も同様である。
【００４２】
取付部材７０は、天井板６１およびカバー２０より曲げ弾性率が小さい。取付部材７０は、天井板６１およびカバー２０の少なくとも一方より曲げ弾性率が小さいことが好ましい。このようにすることで、カバー２０から天井板６１に伝搬する振動が、取付部材７０において効果的に減衰される。
【００４３】
次に、排水ポンプ１を、取付部材７０を用いて空気調和機６０の天井板６１に取付ける方法について説明する。
【００４４】
まず、排水ポンプ１が有する複数の取付部２５の平板部２７に取付部材７０を取付ける。具体的には、各平板部２７に設けられた切り欠き２８に、入口から取付部材７０の柱部７１を押し込む。これにより、取付部材７０の柱部７１が切り欠き２８に挿通された状態で保持される。
【００４５】
次に、各平板部２７に取付けられた取付部材７０の先端部７２を、空気調和機６０の天井板６１に設けられた貫通孔６２の挿通部６３に挿通する。そして、上方から見たときに反時計回りとなる方向に排水ポンプ１を回転させて、取付部材７０の柱部７１を貫通孔６２のスリット部６４に進入するようにスライド移動させる。
【００４６】
これにより、取付部材７０の先端部７２の下向き面７２ａが貫通孔６２の縁部６２ａに引っ掛かって垂下状態（ぶら下がり状態）となる。また、取付部材７０の基端部７３の上向き面７３ａが切り欠き２８の縁部２８ａに引っ掛かって平板部２７が垂下状態となる。このようにして、排水ポンプ１が取付部材７０によって空気調和機６０の天井板６１に垂下状態で取付けられる。このとき、排水ポンプ１のカバー２０（平板部２７）と天井板６１とが間隔Ｄを空けて対向して配置される。間隔Ｄは、０．５ｍｍ〜１００ｍｍが好ましく、１ｍｍ〜５０ｍｍがさらに好ましい。
【００４７】
以上説明したように、本実施例によれば、排水ポンプ１は、取付部材７０によって、カバー２０が空気調和機６０の天井板６１と間隔を空けて天井板６１に取付けられる。このようにしたことから、排水ポンプ１のカバー２０が天井板６１に接触しないので、カバー２０から天井板６１に直接的に振動が伝搬することを回避できる。そのため、排水ポンプ１が取付けられる天井板６１へのモータ４０の振動の伝搬を抑制することができ、動作時の静粛性を図ることができる。
【００４８】
また、排水ポンプ１は、取付部材７０によって、天井板６１に自重により垂下されるように取付けられる。このようにすることで、排水ポンプ１が、固定されることなく移動の自由度をもって自重により排水ポンプ１が天井板６１にぶら下がる。そのため、排水ポンプ１と天井板６１とが緩く接続されているので、排水ポンプ１が取付けられる天井板６１へのモータ４０の振動の伝搬をさらに抑制することができ、動作時の静粛性を図ることができる。また、排水ポンプ１は、移動の自由度をもって天井板６１にぶら下がるため、モータ４０が回転すると自律的にバランスをとって振動の少ない姿勢を保つことができる。
【００４９】
また、取付部材７０は、カバー２０と別体である。排水ポンプ１は、取付部材７０の上端の先端部７２が天井板６１に係止されかつ下端の基端部７３がカバー２０に係止されることにより、天井板６１に取付けられる。取付部材７０の先端部７２は、天井板６１に設けられた貫通孔６２に挿通されるとともに、貫通孔６２の縁部６２ａに引っ掛かる。取付部材７０の基端部７３は、カバー２０に設けられた切り欠き２８に挿通されるとともに、切り欠き２８の縁部２８ａに引っ掛かる。このようにすることで、比較的簡易な構成で排水ポンプ１を天井板６１に取付けることができる。
【００５０】
また、取付部材７０の先端部７２は、外側に膨らむ幅広部である。天井板６１の貫通孔６２は、取付部材７０の先端部７２が挿通可能な形状を有する挿通部６３と、挿通部６３に連なり先端部７２の幅より小さい幅を有するスリット部６４と、を有している。このようにすることで、取付部材７０の先端部７２を貫通孔６２の挿通部６３に挿通したのちスリット部６４に進入するようにスライド移動させることで、排水ポンプ１を天井板６１に容易に取付けることができる。
【００５１】
（第２実施例）
以下、本発明の第２実施例に係る排水ポンプの取付構造について、図４および図５を参照して説明する。
【００５２】
図４は、本発明の第２実施例に係る排水ポンプの取付構造を示す図である。図４（ａ）〜（ｃ）は、順に、被取付体を透過して表した平面図、正面図および底面図である。図５は、図４の排水ポンプの取付構造を説明する図である。図５（ａ）は、被取付体の上方から見た平面図であり、排水ポンプを破線で示している。図５（ｂ）は、被取付体の貫通孔近傍（図５（ａ）の一点鎖線の楕円部）を拡大した図である。図５（ｃ）は、図５（ｂ）のＢ−Ｂ線に沿う拡大断面図である。第２実施例において、第１実施例と同一の構成要素には同一の符号を付して説明を省略する。
【００５３】
第２実施例は、排水ポンプ１Ａを取付部材８０によって被取付体としての空気調和機６０の天井板６１に取付ける構造である。第２実施例は、第１実施例の構成をベースとして、取付部２５を省略した排水ポンプ１Ａを採用するとともに、上カバー２２の上面２２ａに基端部８３が一体に取付けられた取付部材８０を採用している。
【００５４】
図４、図５に示す排水ポンプ１Ａは、第１実施例の排水ポンプ１において取付部２５を省略したこと以外は、排水ポンプ１と同一の構成を有する。
【００５５】
取付部材８０は、柱状に形成されており、円柱状の柱部８１と、柱部８１の上端に設けられた円形のフランジ形状の先端部８２と、を有している。また、取付部材８０の基端部８３は、排水ポンプ１Ａの上カバー２２と一体に設けられている。柱部８１の径は、天井板６１の貫通孔６２のスリット部６４の幅より小さい。先端部８２の径は、スリット部６４の幅より大きい。先端部８２は、柱部８１から径方向外側に膨らんだ幅広部であればよい。本実施例では、取付部材８０を３つ有している。
【００５６】
取付部材８０の先端部８２は、天井板６１に設けられた貫通孔６２に挿通されるとともに、垂下状態となるよう貫通孔６２の縁部６２ａに引っ掛かる円環状の下向き面８２ａを有している。なお、先端部８２は円形以外のフランジ形状であってもよく、下向き面８２ａは円環状以外の環状であってもよい。
【００５７】
取付部材８０は、天井板６１およびカバー２０より曲げ弾性率が小さい。取付部材８０は、天井板６１およびカバー２０の少なくとも一方より曲げ弾性率が小さいことが好ましい。このようにすることで、カバー２０から天井板６１に伝搬する振動が、取付部材８０において効果的に減衰される。
【００５８】
第２実施例において、各貫通孔６２の挿通部６３の中心は仮想円Ｑ２上に配置されている。また、各貫通孔６２のスリット部６４の中心線も仮想円Ｑ２上に配置されている。この仮想円Ｑ２は、上下方向から見たときの下カバー２１および上カバー２２の投影形状内に含まれる。また、排水ポンプ１Ａは、上下方向から見たとき、カバー２０の最外端が、第１実施例の仮想円Ｐ１の直径Ｌ１より小さい直径Ｌ２の仮想円Ｐ２に内接している。
【００５９】
取付部材８０の先端部８２は、第１実施例の取付部材７０の先端部７２と同様の取付方法で空気調和機６０の天井板６１に取付けられる。このとき、排水ポンプ１Ａのカバー２０（上カバー２２の上面２２ａ）と天井板６１とが間隔Ｄを空けて対向して配置される。間隔Ｄは、０．５ｍｍ〜１００ｍｍが好ましく、１ｍｍ〜５０ｍｍがさらに好ましい。
【００６０】
第２実施例も、第１実施例と同様の効果を奏する。また、取付部２５を省略したことから、よりコンパクトに構成することができる。
【００６１】
（第３実施例）
以下、本発明の第３実施例に係る排水ポンプの取付構造について、図６を参照して説明する。
【００６２】
図６は、本発明の第３実施例に係る排水ポンプの取付構造を説明する図である。図６（ａ）は、被取付体の上方から見た平面図であり、排水ポンプを破線で示している。図６（ｂ）は、被取付体の貫通孔近傍（図６（ａ）の一点鎖線の楕円部）を拡大した図である。図６（ｃ）は、図６（ｂ）のＡ−Ａ線に沿う拡大断面図である。第２実施例の説明において、「上下」は、図６（ａ）の紙面手前−奥方向に一致し、図６（ｃ）の上下方向に一致する。第３実施例において、第１実施例と同一の構成要素には同一の符号を付して説明を省略する。
【００６３】
第３実施例は、排水ポンプ１を取付部材９０によって被取付体としての空気調和機６０の天井板６１に取付ける構造である。第３実施例は、第１実施例の構成をベースとして、天井板６１に円形の貫通孔６５を採用するとともに、先端部９２および基端部９３が径方向に弾性変形可能な取付部材９０を採用している。
【００６４】
図６（ａ）に示すように、空気調和機６０の天井板６１には、複数の貫通孔６５が設けられている。第３実施例において、貫通孔６５は３つ設けられている。貫通孔６５は、円形状に形成されている。貫通孔６５は、取付部材９０の先端部９２の径より小さい径を有している。
【００６５】
取付部材９０は、柱状に形成されており、円柱状の柱部９１と、柱部９１の上端（一方の端部）に設けられた円形のフランジ形状の先端部９２と、柱部９１の下端（他方の端部）に設けられた円形のフランジ形状の基端部９３と、を有している。柱部９１の径は、切り欠き２８の入口から奥に入った部分の幅および天井板６１の貫通孔６５の径より小さい。先端部９２の径は、貫通孔６５の径より大きい。基端部９３の径は、切り欠き２８の入口から奥に入った部分の幅より大きい。先端部９２および基端部９３は、柱部９１から径方向外側に膨らんだ幅広部であればよい。本実施例では、取付部材９０を３つ有している。
【００６６】
取付部材９０は、径方向に延びかつ先端部９２から柱部９１に至る深さを有するスリット９４、および、径方向に延びかつ基端部９３から柱部９１に至る深さを有するスリット９５を有している。スリット９４およびスリット９５は、先端部９２および基端部９３において、径方向に弾性変形可能な複数の弾性片を構成するように形成されている。
【００６７】
取付部材９０の先端部９２は、天井板６１に設けられた貫通孔６５に挿通されるとともに、垂下状態となるよう貫通孔６５の縁部６５ａに引っ掛かる下向き面９２ａを有している。取付部材９０の基端部９３は、カバー２０の取付部２５の平板部２７に設けられた切り欠き２８に挿通されるとともに、平板部２７が垂下状態となるよう切り欠き２８の縁部２８ａに引っ掛かる上向き面９３ａを有している。
【００６８】
取付部材９０は、天井板６１およびカバー２０より曲げ弾性率が小さい。取付部材９０は、天井板６１およびカバー２０の少なくとも一方より曲げ弾性率が小さいことが好ましい。このようにすることで、カバー２０から天井板６１に伝搬する振動が、取付部材９０において効果的に減衰される。
【００６９】
次に、排水ポンプ１を取付部材９０を用いて空気調和機６０の天井板６１に取付ける方法について説明する。
【００７０】
まず、排水ポンプ１が有する複数の取付部２５の平板部２７に取付部材９０を取付ける。具体的には、各平板部２７に設けられた切り欠き２８に、入口から取付部材９０の柱部９１を押し込む。または、取付部材９０の基端部９３の複数の弾性片を中心側に縮小するように弾性変形させて上方から切り欠き２８に挿入したのち復元させる。なお、切り欠き２８に代えて、円形の貫通孔を平板部２７に設けてもよい。これにより、取付部材９０の柱部９１が切り欠き２８に挿通された状態で保持される。
【００７１】
次に、各平板部２７に取付けられた取付部材９０の先端部９２を、空気調和機６０の天井板６１に設けられた貫通孔６５に挿通する。具体的には、取付部材９０の先端部９２の複数の弾性片を中心側に縮小するように弾性変形させて下方から貫通孔６５に挿入したのち復元させる。
【００７２】
これにより、取付部材９０の先端部９２の下向き面９２ａが貫通孔６５の縁部６５ａに引っ掛かって垂下状態となる。また、取付部材９０の基端部９３の上向き面９３ａが切り欠き２８の縁部２８ａに引っ掛かって平板部２７が垂下状態となる。このようにして、排水ポンプ１が取付部材９０によって空気調和機６０の天井板６１に垂下状態で取付けられる。このとき、排水ポンプ１のカバー２０（平板部２７）と天井板６１とが間隔Ｄを空けて対向して配置される。間隔Ｄは、０．５ｍｍ〜１００ｍｍが好ましく、１ｍｍ〜５０ｍｍがさらに好ましい。
【００７３】
第３実施例も、第１実施例と同様の効果を奏する。
【００７４】
特に、第３実施例では、取付部材９０の先端部９２は、外側に膨らむ幅広部であるとともに、複数の弾性片を構成するようにスリットが形成されている。先端部９２は、複数の弾性片が中心側に弾性変形された状態で天井板６１の貫通孔６５に挿入される。また、取付部材９０の基端部９３は、外側に膨らむ幅広部であるとともに、複数の弾性片を構成するようにスリットが形成されている。基端部９３は、複数の弾性片が中心側に弾性変形された状態でカバー２０の切り欠き２８に挿入されてもよい。このようにしたことから、排水ポンプ１を天井板６１に容易に取付けることができる。
【００７５】
上述した第２実施例において、取付部材８０の先端部８２および天井板６１の貫通孔６２に代えて、第３実施例に示したように、取付部材９０の先端部９２（複数の弾性片を構成するようにスリット９４が形成されている）および貫通孔６５と同様の構造を採用してもよい。
【００７６】
また、上述した各実施例では、取付部材（取付手段）を３つ有する構成であったが、取付部材は、少なくとも１つ有していればよい。取付部材を１つのみ有する構成では、排水ポンプの重心に対応する箇所を取付部材によって被取付体に取付ける。
【００７７】
また、上述した各実施例では、排水ポンプ１が天井板６１に垂下される（ぶら下がる）ように取付けられる構成について説明したが、これら以外にも、例えば、第１実施例において、取付部材７０の先端部７２が接着剤などにより天井板６１に固定されていてもよい。取付部材７０の基端部７３が接着剤などによりカバー２０（平板部２７）に固定されていてもよい。取付部材７０の柱部７１の径が、スリット部６４の幅と同じか若干大きくされていてもよい。取付部材７０の柱部７１の径が、切り欠き２８の入口から奥に入った部分の幅と同じか若干大きくされていてもよい。第２実施例および第３実施例においても同様である。
【００７８】
上記に本発明の実施例を説明したが、本発明はこれらの例に限定されない。前述の実施例に対して、当業者が適宜、構成要素の追加、削除、設計変更を行ったものや、実施例の特徴を適宜組み合わせたものも、本発明の趣旨を逸脱しない限り、本発明の範囲に含まれる。
【符号の説明】
【００７９】
（第１実施例）
１、１Ａ…排水ポンプ、５…ポンプ室、１０…ハウジング、１１…本体部、１２…底壁部、１３…周壁部、１４…内周面、１５…吐出管入口、１６…吸込管、１７…吸込口、１８…吐出管、１９…吐出口、２０…カバー、２１…下カバー、２２…上カバー、２２ａ…上カバーの上面、２３…スナップフィット機構、２４…係止部、２５…取付部、２６…支柱部、２７…平板部、２８…切り欠き、２８ａ…切り欠きの縁部、２９…貫通孔、３０…回転羽根、３１…軸部、３２…取付穴、３３…大径羽根、３４…小径羽根、３５…補助羽根、３６…環状部材、３７…開口、４０…モータ、４１…駆動軸、６０…空気調和機、６１…天井板、６２…貫通孔、６２ａ…貫通孔の縁部、６３…挿通部、６４…スリット部、７０…取付部材、７１…柱部、７２…先端部、７２ａ…下向き面、７３…基端部、７３ａ…上向き面
（第２実施例）
８０…取付部材、８１…柱部、８２…先端部、８２ａ…下向き面、８３…基端部
（第３実施例）
６５…貫通孔、６５ａ…貫通孔の縁部、９０…取付部材、９１…柱部、９２…先端部、９２ａ…下向き面、９３…基端部、９３ａ…上向き面
【図１】
2019157697.tif 000003
【図２】
2019157697.tif 000004
【図３】
2019157697.tif 000005
【図４】
2019157697.tif 000006
【図５】
2019157697.tif 000007
【図６】
2019157697.tif 000008
【図７】
2019157697.tif 000009